(57)【要約】【課題】嵩張らず、搬送効率を高くすることができる層間塞ぎ具を提供する。【解決手段】この層間塞ぎ具３は、建物１における床部材である打設コンクリート１５と外壁部材である外壁パネル２Ａとの隙間の一部または全部を塞ぐためのものであり、上記外壁パネル２Ａのフレーム２１の横フレーム部２１２に固定される固定部３１と、上記固定部３１に回動可能に設けられた支持部３２とを有しており、上記支持部３２を上記固定部３１に近づけた折り畳み状態と、上記支持部３２が上記打設コンクリート１５と上記横フレーム部２１２との間に掛け渡されて耐火材４を下から支持する状態とが形成される。【選択図】図４
2018003301.tif 000002
【特許請求の範囲】
【請求項１】
建物における床部材と外壁部材との隙間の一部または全部を塞ぐための層間塞ぎ具であって、上記床部材または上記外壁部材に固定される固定部と、上記固定部に回動可能に設けられた支持部とを有しており、上記支持部を上記固定部に近づけた折り畳み状態と、この折り畳み状態から上記支持部が展開され、当該支持部が上記床部材と外壁部材との間に掛け渡されて耐火材を下から支持する状態とが形成されることを特徴とする層間塞ぎ具。
【請求項２】
請求項１に記載の層間塞ぎ具において、上記固定部が上記外壁部材である外壁パネルのフレームに固定されており、上記回動によって上記支持部が上記床部材の屋外側面に接触することを特徴とする層間塞ぎ具。
【請求項３】
請求項２に記載の層間塞ぎ具において、上記フレームは、上記外壁パネルの外壁面材の裏面に固定された縦板部と床部材側に突出する横板部とからなる断面略Ｌ字形状を有しており、上記支持部は、上記横板部の床部材側端よりも外壁面材側に納まる折り畳み状態と、上記横板部の床部材側端よりも床部材側に張り出して上記床部材の屋外側面に接触する接触状態とを形成できるように設けられていることを特徴とする層間塞ぎ具。
【請求項４】
請求項２または請求項３に記載の層間塞ぎ具において、上記支持部は、上記固定部に回動可能に設けられた第１板部と、この第１板部に回動可能に設けられ、上記床部材の屋外側面に面接触可能な第２板部とを備えることを特徴とする層間塞ぎ具。
【請求項５】
請求項２または請求項３に記載の層間塞ぎ具において、上記支持部は、上記固定部に回動可能に設けられた第１板部と、この第１板部に回動可能に設けられ、上記床部材の屋外側面に線接触可能な延長用の第２板部とを備えることを特徴とする層間塞ぎ具。
【請求項６】
請求項１に記載の層間塞ぎ具において、上記固定部が、上記床部材である床用に打設されるコンクリートを止めるコンクリート止め板に固定されていることを特徴とする層間塞ぎ具。
【請求項７】
請求項１に記載の層間塞ぎ具において、上記固定部が、上記床部材であるコンクリートに固定されていることを特徴とする層間塞ぎ具。
【発明の詳細な説明】
【技術分野】
【０００１】
この発明は、建物における床部材と外壁部材との隙間を塞ぐための層間塞ぎ具に関する。
【背景技術】
【０００２】
特許文献１には、床部材と外壁部材との隙間を塞ぐ層間塞ぎ部材であって、基部と、当該基部に設けられて弾性変形可能な変形部と、上記基部または変形部に支持された耐火材と、を備え、上記変形部は、上記基部が上記床部材に取り付けられた状態では、上記隙間に位置して、上記床部材および上記外壁部材のうち少なくとも一方に押圧されて変形する層間塞ぎ部材が開示されている。
【０００３】
また、特許文献２には、床スラブの端面と壁パネルとの間の隙間に挿填される耐火材を支持するための層間耐火材支持金具であって、上記床スラブの上面から側面に垂下するように架設するハンガー部と、上記ハンガー部に上記床スラブの端面側が支持され、上記壁パネル側が上記壁パネルに支持され、上記隙間をふさぐ金属製板材と、を備え、上記ハンガー部が、床スラブの上面に載置される上面支持部と、上記上面支持部の壁パネル側端部から床スラブの端面に沿って垂下する垂下部と、上記垂下部に設けられた、上記金属製板材の床スラブ側部分を支持する板材支持部と、を備える層間耐火材支持金具が開示されている。
【先行技術文献】
【特許文献】
【０００４】
【特許文献１】特開２０１０−５９７４１号公報
【特許文献２】特開２０１０−２６１２３２号公報
【発明の概要】
【発明が解決しようとする課題】
【０００５】
しかしながら、上記従来の層間塞ぎ具（層間耐火材支持金具）は、嵩張る構造を有するものであり、搬送効率が低いという問題があった。
【０００６】
この発明は、上記の事情に鑑み、嵩張らない構造を有し、搬送効率を高くすることができる層間塞ぎ具を提供することを目的とする。
【課題を解決するための手段】
【０００７】
この発明の層間塞ぎ具は、上記の課題を解決するために、建物における床部材と外壁部材との隙間の一部または全部を塞ぐための層間塞ぎ具であって、上記床部材または上記外壁部材に固定される固定部と、上記固定部に回動可能に設けられた支持部とを有しており、上記支持部を上記固定部に近づけた折り畳み状態と、この折り畳み状態から上記支持部が展開され、当該支持部が上記床部材と外壁部材との間に掛け渡されて耐火材を下から支持する状態とが形成されることを特徴とする。
【０００８】
上記の構成であれば、上記支持部を上記固定部に近づけた折り畳み状態を形成できるので、嵩張らず、搬送効率を高くすることができる。
【０００９】
上記固定部が上記外壁部材である外壁パネルのフレームに固定されており、上記回動によって上記支持部が上記床部材の屋外側面に接触するようにしてもよい。これによれば、層間塞ぎ具を、外壁部材である外壁パネルに、工場で取り付けておくことができるので、現場での作業負担を軽減することができる。また、上記外壁パネルの搬送において、層間塞ぎ具は特に邪魔にならず、当該外壁パネルの搬送効率を低下させることもない。
【００１０】
上記フレームは、上記外壁パネルの外壁面材の裏面に固定された縦板部と床部材側に突出する横板部とからなる断面略Ｌ字形状を有しており、上記支持部は、上記横板部の床部材側端よりも外壁面材側に納まる折り畳み状態と、上記横板部の床部材側端よりも床部材側に張り出して上記床部材の屋外側面に接触する接触状態とを形成できるように設けられていてもよい。
【００１１】
上記支持部は、上記固定部に回動可能に設けられた第１板部と、この第１板部に回動可能に設けられ、上記床部材の屋外側面に面接触可能な第２板部とを備えてもよい。これによれば、上記第２板部を、上記床部材の屋外側面に面接触させた状態で、当該床部材に固定させることが可能になる。
【００１２】
或いは、上記支持部は、上記固定部に回動可能に設けられた第１板部と、この第１板部に回動可能に設けられ、上記床部材の屋外側面に線接触可能な延長用の第２板部とを備えてもよい。これによれば、上記第１板部で上記床部材と外壁部材との隙間を塞ぎきれないときでも、上記第１板部から上記第２板部を延長させて、上記支持部を上記床部材と外壁部材との間に掛け渡すことができる。換言すれば、上記第１板部を小さくして、上記支持部の折り畳み時のサイズを一層コンパクトにすることができる。
【００１３】
上記固定部が、上記床部材である床用に打設されるコンクリートを止めるコンクリート止め板に固定されていてもよい。或いは、上記固定部が、上記床部材であるコンクリートに固定されていてもよい。これによれば、上記床部材に層間塞ぎ具を工場で取り付けておくことが可能であり、現場での作業負担を軽減することができる。
【発明の効果】
【００１４】
本発明であれば、嵩張らず、搬送効率を高くすることができるという効果を奏する。
【図面の簡単な説明】
【００１５】
【図１】実施形態にかかる層間塞ぎ具を用いた建物の層間部構造を示した説明図である。
【図２】図１の建物の層間部構造における外壁パネルの裏面側（屋内側）を示した背面図である。
【図３】同図（Ａ）は図１の一部を拡大した説明図であり、同図（Ｂ）は同図（Ａ）の一部を取り出して拡大して示した説明図である。
【図４】同図（Ａ）は図１の建物の層間部構造において層間塞ぎ具を折り畳んだ状態を示した説明図であり、同図（Ｂ）は層間塞ぎ具を展開して耐火材をセットした状態を示した説明図である。
【図５】他の実施形態にかかる層間塞ぎ具を用いた建物の層間部構造を示した説明図であり、同図（Ａ）は層間塞ぎ具を展開して耐火材をセットした状態を示し、同図（Ｂ）は層間塞ぎ具を折り畳んだ状態を示している。
【図６】同図（Ａ）および同図（Ｂ）は、それぞれ他の実施形態にかかる層間塞ぎ具を用いた建物の層間部構造を示した説明図である。
【発明を実施するための形態】
【００１６】
以下、この発明の一態様に係る実施形態を添付図面に基づいて説明する。図１に示すように、建物１の梁１１の上フランジの上面には、複数のリブ部１２（図では１個のみ示している）が梁１１の長手方向に間隔をおいて固定されている。各リブ部１２は梁１１の長手方向に離間配置された２枚のリブ板からなっている。また、各リブ部１２上にはＬアングルからなる台座受け１３が溶接等により固定されており、この台座受け１３上に台座１４が溶接等により固定されている。上記Ｌアングルからなる台座受け１３は、その横板部を上記リブ部１２の上縁に当接させ、また、その縦板部を上記リブ部１２の屋外側の立ち上げ縁に当接させている。上記台座受け１３の長さは、リブ部１２の幅よりも少し長い長さがあれば足りるものである。
【００１７】
上記梁１１の上フランジには、床用に打設される打設コンクリート１５を止めるための断面略Ｌ字状のコンクリート止め板１６が現場付けで設けられる。上記打設コンクリート１５は、梁１１の上フランジの上面から上記台座受け１３の上部に至る高さを有するように打設される。
【００１８】
上記台座１４には、ファスナー１７が取り付けられる。このファスナー１７は、例えば、外壁パネル２Ａおよびこの外壁パネル２Ａ上に位置する外壁パネル２Ｂを上記台座１４に固定するための金物である。上記ファスナー１７は、横板部とこの横板部の屋外側縁から下方向に延びる縦板部とを有するＬアングル部１７ａと、上記横板部上で上方に立ち上がる立ち上げ部１７ｂとを備える。上記ファスナー１７は、上記Ｌアングル部１７ａの横板部において上記台座１４に固定され、上記Ｌアングル部１７ａの縦板部の側で上記外壁パネル２Ａを支持し、上記立ち上げ部１７ｂの側で上記外壁パネル２Ｂを支持する。
【００１９】
上記外壁パネル２Ａ、２Ｂは、パネルフレーム２１と、このパネルフレーム２１に固定された外壁面材２２とからなる。上記パネルフレーム２１は、２本の縦フレーム部２１１と、２本の横フレーム部２１２とで四角枠を形成したものであり、上記外壁面材２２の裏面側において当該外壁面材２２を支持している。上記２本の横フレーム部２１２のうち、上側に位置する横フレーム部２１２は、上記外壁面材２２の裏面に固定された縦板部２１２ａと当該縦板部２１２ａの下端から床部材側に突出する横板部２１２ｂとからなる断面略Ｌ字形状を有している。また、上記パネルフレーム２１においては、図２にも示すように、上記横フレーム部２１２の端面が上記縦フレーム部２１１で塞がれる、いわゆる縦勝ちの配置となっている。
【００２０】
上記外壁パネル２Ａの横フレーム部２１２上であって、上記ファスナー１７が配置されない箇所には、図３（Ａ）および図３（Ｂ）に示すように、この実施形態にかかる層間塞ぎ具３が設けられている。この層間塞ぎ具３は、上記打設コンクリート１５やコンクリート止め板１６等からなる床部材と上記パネルフレーム２１等からなる外壁部材との隙間の一部または全部を塞ぐための金具である。そして、この層間塞ぎ具３は、上記パネルフレーム２１の側に固定される板状の固定部３１と、上記固定部３１に回動可能に設けられた板状の支持部３２とを有しており、上記支持部３２を上記固定部３１に近づけた折り畳み状態と、この折り畳み状態から上記支持部３２が展開され、当該支持部３２が上記打設コンクリート１５と上記パネルフレーム２１との間に掛け渡されて、耐火材４（ロックウールマット等（図４参照））を下から支持する状態とが形成できるようになっている。
【００２１】
上記固定部３１および支持部３２の板厚は、例えば、１．６ｍｍ程度とされる。また、上記回動のための構造には、ヒンジ（蝶番）を用いることができる。上記ヒンジとしては、フリーストップヒンジ等を用いることができる。また、上記固定部３１の上記パネルフレーム２１の側への固定は、上記横フレーム部２１２の縦板部２１２ａにおいて溶接等により行うことができる。
【００２２】
そして、上記層間塞ぎ具３は、図４（Ａ）に示すように、上記の折り畳み状態として、上記支持部３２が上記横板部２１２ｂの床部材側端よりも外壁面材２２側に納まる状態を形成する。また、図４（Ｂ）に示すように、上記層間塞ぎ具３は、上記横板部２１２ｂの床部材側端よりも床部材側に張り出して上記床部材の屋外側面に接触する接触状態を形成することができる。上記横板部２１２ｂの床部材側端から打設コンクリート１５の屋外側面までの幅Ｗは、例えば、設計上、２３ｍｍとされ、広くても３５ｍｍ以内に納まることを想定している。
【００２３】
また、上記支持部３２は、上記固定部３１に回動可能に設けられた第１板部３２ａと、この第１板部３２ａに回動可能に設けられ、上記床部材としての打設コンクリート１５の屋外側面に面接触可能な第２板部３２ｂとを備えている。例えば、上記第１板部３２ａの幅は９０〜１０ｍｍ程度とされ、上記第２板部３２ｂおよび上記固定部３１の幅はそれぞれ３０ｍｍ程度とされる。
【００２４】
上記の構成であれば、上記層間塞ぎ具３の支持部３２を上記固定部３１に近づけた折り畳み状態を形成できるので、嵩張らず、搬送効率が高くなる。さらに、上記固定部３１が上記外壁パネル２Ａの横フレーム部２１２に固定されており、上記回動によって上記支持部３２が上記床部材としての打設コンクリート１５の屋外側面に接触できるようにしていると、上記層間塞ぎ具３を、上記外壁パネル２Ａに、工場で事前に取り付けておくことができるので、現場での作業負担を軽減することができる。また、上記外壁パネル２Ａの搬送において、層間塞ぎ具３は特に邪魔にならず、当該外壁パネル２Ａの搬送効率を低下させることもない。
【００２５】
上記支持部３２が、上記第２板部３２ｂを備えると、この第２板部３２ｂを床部材の屋外側面に面接触させた状態で、ビス等を上記第２板部３２ｂの側からねじ込む、或いは、上記第２板部３２ｂをコンクリート止め板１６等に溶接し、当該第２板部３２ｂを上記床部材としての打設コンクリート１５に固定することが可能になる。なお、上記第２板部３２ｂには、上記ビス等の挿通用の挿通孔が形成されていてもよい。
【００２６】
上記第２板部３２ｂを上記打設コンクリート１５等に面接触させることに限るものではない。例えば、図５（Ａ）および図５（Ｂ）に示すように、上記支持部３２が、上記固定部３１に回動可能に設けられた第１板部３２ａと、この第１板部３２ａに回動可能に設けられ、床部材の屋外側面に線接触可能な延長用の第２板部３２ｂとを備えてもよい。これによれば、上記第１板部３２ａで床部材と外壁部材との隙間を塞ぎきれないときでも、上記第１板部３２ａから上記第２板部３２ｂを延長させて、上記支持部３２を上記床部材と外壁部材との間に掛け渡すことができる。換言すれば、上記第１板部３２ａを小さくして、上記支持部３２の折り畳み時のサイズを一層コンパクトにできる。なお、上記第２板部３２ｂの回動範囲を１８０度に制限し、その折り畳みの方向が上記第１板部３２ａの床部材側となるようにしてもよいし、上記ヒンジとしてフリーストップヒンジを用いる場合には、このフリーストップの機能で上記延長状態を保持することができる。
【００２７】
また、上記固定部３１の上記パネルフレーム２１の側への固定を、上記横フレーム部２１２の縦板部２１２ａにおいて行うことに限るものではない。例えば、上記固定部３１の上記パネルフレーム２１の側への固定を、上記横フレーム部２１２の横板部２１２ｂにおいて行うようにしてもよい。また、上記固定部３１の上記外壁パネル２Ａへの固定が上記パネルフレーム２１において行われることに限られないし、また、上記パネルフレーム２１がＬアングルからなることに限られるものでもない。
【００２８】
また、図６（Ａ）に示すように、上記層間塞ぎ具３の上記固定部３１が床部材である上記コンクリート止め板１６に固定される構造とし、上記回動によって外壁部材の裏面側である例えば上記横フレーム部２１２の横板部２１２ｂに接触するようにしてもよい。上記コンクリート止め板１６は、現場で取り付けられるが、上記コンクリート止め板１６を工場で製造するときに上記層間塞ぎ具３を当該コンクリート止め板１６に取り付けるようにしてもよい。
【００２９】
また、図６（Ｂ）に示すように、上記層間塞ぎ具３の上記固定部３１が床部材である各プレキャストコンクリート床板１５Ａの屋外側端面に固定される構造とし、上記回動によって外壁部材の裏面側である例えば上記横フレーム部２１２の横板部２１２ｂに接触するようにしてもよい。
【００３０】
また、上記層間塞ぎ具３が配置されない上記ファスナー１７の取付箇所では、このファスナー１７を覆うようにメタルラスや鋼板を設ければよい。また、上記横フレーム部２１２の端面が上記縦フレーム部２１１で塞がれる、いわゆる縦勝ちの配置としたが、上記縦フレーム部２１１の端面が上記横フレーム部２１２で塞がれる、いわゆる横勝ちの配置としてもよいものであり、この場合には、隣り合う外壁パネル２Ａ間の縦目地上にも上記層間塞ぎ具３を配置できるようになる。
【００３１】
また、例えば、上記層間塞ぎ具３は、上記支持部３２における上記第１板部３２ａの端部に、隣り合う外壁パネル２Ａ間の縦目地を跨ぐ第３の板部を回動可能（折り畳み可能）に備えてもよいものである。これによれば、隣り合う外壁パネル２Ａ間の縦目地箇所専用の層間塞ぎ具を配置せずに、上記層間塞ぎ具３によって、上記縦目地の付近を塞ぐことが可能になる。
【００３２】
また、層間塞ぎ具３は、上記支持部３２に耐火材を工場等でプレセットした構造を有していてもよい。上記耐火材はロックウールに限らず、火災時の熱で膨張する熱膨張性耐火材であってもよい。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１        ：建物
２Ａ      ：外壁パネル
２Ｂ      ：外壁パネル
３        ：層間塞ぎ具
４        ：耐火材
１１      ：梁
１２      ：リブ部
１３      ：台座受け
１４      ：台座
１５      ：打設コンクリート
１５Ａ    ：プレキャストコンクリート床板（コンクリート）
１６      ：コンクリート止め板
１７      ：ファスナー
１７ａ    ：Ｌアングル部
１７ｂ    ：立ち上げ部
２１      ：パネルフレーム
２２      ：外壁面材
３１      ：固定部
３２      ：支持部
３２ａ    ：第１板部
３２ｂ    ：第２板部
２１１    ：縦フレーム部
２１２    ：横フレーム部
２１２ａ  ：縦板部
２１２ｂ  ：横板部
【図１】
2018003301.tif 000003
【図２】
2018003301.tif 000004
【図３】
2018003301.tif 000005
【図４】
2018003301.tif 000006
【図５】
2018003301.tif 000007
【図６】
2018003301.tif 000008